(57)【要約】    【課題】車載情報端末のＨＤＤに記録された大量の楽曲の中から、ユーザの好みに合わせて適切に楽曲を選択して再生する方法を提供する。    【解決手段】キーワードを入力し（ステップＳ１）、そのキーワードに基づいてＨＤＤから楽曲を検索する（ステップＳ２０）。複数の楽曲が検索された場合は、楽曲の再生時間や過去の再生履歴による再生回数などの様々な並び替え順序にしたがって、その複数の楽曲を並び替え（ステップＳ４０）、リスト表示する（ステップＳ５０）。このリスト表示された順序にしたがって、各楽曲を再生出力する（ステップＳ６０）。【選択図】図５
2006331598.tif 000002
【特許請求の範囲】
【請求項１】
各楽曲に特定のアーティスト名、トラック名またはアルバム名のいずれか少なくとも一つを関連付けて、音楽データを楽曲単位で記録する記録手段と、
前記記録手段に記録された楽曲のいずれかを検索するためのキーワードを入力する入力手段と、
前記入力手段により入力されたキーワードに基づいて前記記録手段から複数の楽曲を検索する検索手段と、
前記検索手段により検索された複数の楽曲を、予め設定された並び替え条件にしたがって並び替える並び替え手段と、
前記並び替え手段により並び替えられた複数の楽曲をその並び順に再生出力する再生出力手段とを備えることを特徴とする車載情報端末。
【請求項２】
請求項１の車載情報端末において、
前記並び替え条件には、楽曲の再生時間または過去の再生履歴による再生回数のいずれか少なくとも一方が含まれることを特徴とする車載情報端末。
【請求項３】
請求項１の車載情報端末において、
車両の現在地を検出する現在地検出手段をさらに備え、
前記並び替え条件には、前記現在地検出手段により検出された車両の現在地と、各楽曲がそれぞれ有する地域的特徴との地理的関係が含まれることを特徴とする車載情報端末。
【発明の詳細な説明】
【技術分野】
【０００１】
本発明は、音楽データをハードディスクに記録しておき、必要に応じて再生出力する機能を備えた車載情報端末に関する。
【背景技術】
【０００２】
車両を目的地まで案内するためのナビゲーション機能に加えて、音楽ＣＤから音楽データを取り込んでハードディスク（ＨＤＤ）に記録しておき、必要に応じて再生出力する機能を備えた車載ナビゲーション装置が知られている（非特許文献１）。
【０００３】
【非特許文献１】特許庁  標準技術集  「カーナビゲーション装置のユーザーインターフェイス」主分類６−Ｃ−１ａ
【発明の開示】
【発明が解決しようとする課題】
【０００４】
非特許文献１に開示されるナビゲーション装置では、ＨＤＤの容量に応じて大量の楽曲を記録することができる。しかし、記録されている楽曲の量が多くなるほど、その中からユーザが聞きたい楽曲を探し出して再生することが困難になる。そのため、ＨＤＤに記録された大量の楽曲の中から、ユーザの好みに合わせて適切に楽曲を選択して再生する方法が求められている。
【課題を解決するための手段】
【０００５】
請求項１の発明による車載情報端末は、各楽曲に特定のアーティスト名、トラック名またはアルバム名のいずれか少なくとも一つを関連付けて、音楽データを楽曲単位で記録する記録手段と、記録手段に記録された楽曲のいずれかを検索するためのキーワードを入力する入力手段と、入力手段により入力されたキーワードに基づいて記録手段から複数の楽曲を検索する検索手段と、検索手段により検索された複数の楽曲を、予め設定された並び替え条件にしたがって並び替える並び替え手段と、並び替え手段により並び替えられた複数の楽曲をその並び順に再生出力する再生出力手段とを備えるものである。
請求項２の発明は、請求項１の車載情報端末において、並び替え条件には、楽曲の再生時間または過去の再生履歴による再生回数のいずれか少なくとも一方が含まれることとするものである。
請求項３の発明は、請求項１の車載情報端末において、車両の現在地を検出する現在地検出手段をさらに備え、並び替え条件には、その現在地検出手段により検出された車両の現在地と、各楽曲がそれぞれ有する地域的特徴との地理的関係が含まれることとするものである。
【発明の効果】
【０００６】
本発明によれば、たとえばＨＤＤなどを用いた車載情報端末の記録手段において大量に記録された楽曲の中から、ユーザの好みに合わせて適切に楽曲を選択して再生することができる。
【発明を実施するための最良の形態】
【０００７】
本発明の一実施形態による音楽データ記録再生機能付き車載ナビゲーション装置の構成を図１に示す。このナビゲーション装置１は、出発地から目的地までの推奨経路を地図上に表示して車両を目的地まで案内する一般的なナビゲーション機能を有している。さらに加えて、音楽ＣＤから音楽データを取り込んで記録しておき、必要に応じて再生出力する音楽データの記録再生機能も有している。図１に示すように、ナビゲーション装置１はナビゲーション部１０、音楽データ記録再生部１１、モニタ１２、ＨＤＤ１３、およびＣＤ／ＤＶＤドライブ１４を有している。音楽データ記録再生部１１には、入力された音声信号を不図示のスピーカへ出力して音声を出力するためのオーディオ装置２が接続されている。
【０００８】
ナビゲーション部１０は、マイクロプロセッサやＲＯＭ、ＲＡＭ等を用いて構成される演算処理部１０１と、ＧＰＳ衛星から受信するＧＰＳ信号や自車両の運動状態の検出結果などに基づいて自車両の現在地を検出する現在地検出部１０２と、ユーザからの要求入力を受け付けるための入力操作部１０３とを有している。入力操作部１０３を介してユーザから目的地が設定されると、現在地検出部１０２を用いて現在地を検出した後、演算処理部１０１により、ＨＤＤ１３に記録されている地図データを読み出して周知のナビゲーション処理を行う。こうしてナビゲーション部１０において現在地から目的地までの推奨経路を求め、モニタ１２に車両を目的地まで誘導するための地図表示などを行うことで、ナビゲーション装置１においてナビゲーション機能が実現される。
【０００９】
上記のように、入力操作部１０３を操作して目的地を設定することで、ユーザはナビゲーション装置１に対してナビゲーション機能の実行を要求することができる。さらにユーザは、入力操作部１０３の操作により、音楽データの記録再生機能の実行をナビゲーション装置１に対して要求することもできる。音楽データの記録再生機能の要求がユーザによって行われると、その要求内容は音楽データ記録再生部１１に通知される。なお、入力操作部１０３としては、たとえばモニタ１２と一体化されたタッチパネルや、リモコンなどを用いることができる。
【００１０】
音楽データ記録再生部１１は、ユーザからの要求に応じて音楽データの記録再生処理を実行するための構成部分であり、制御部１１１および再生出力部１１２を有している。音楽データの記録を行う場合には、制御部１１１においてＨＤＤ１３とＣＤ／ＤＶＤドライブ１４を制御することにより、ＣＤ／ＤＶＤドライブ１４にセットされた音楽ＣＤから音楽データを読み込んでＨＤＤ１３に書き込む。このような処理はリッピングと呼ばれている。ＨＤＤ１３には、書き込まれた音楽データが楽曲単位で記録される。
【００１１】
一方、音楽データの再生を行う場合には、前述のリッピング処理によってＨＤＤ１３に記録された音楽データ、あるいは、ＣＤ／ＤＶＤドライブ１４にセットされた音楽ＣＤに記録された音楽データのいずれかを、楽曲単位で再生することができる。制御部１１１においてＨＤＤ１３とＣＤ／ＤＶＤドライブ１４のいずれかを制御して音楽データを読み込み、その音楽データを再生出力部１１２において音声信号に変換することにより、オーディオ装置２に音声信号が出力されて、スピーカから音楽が再生出力される。なお、このとき音楽ＣＤの再生と並行してリッピング処理を行うこともできる。
【００１２】
ＨＤＤ１３において音楽データを記録する際には、その曲名（トラック名）やアーティスト名も一緒に記録される。複数の楽曲を組み合わせたアルバム単位でＨＤＤ１３に記録することもでき、この場合にはトラック名と共にアルバム名も記録される。なお、アーティスト名、トラック名またはアルバム名のいずれか少なくとも一つが音楽データと共に記録されていればよく、全てが揃っていなくてもよい。すなわち、ＨＤＤ１３は、各楽曲に特定のアーティスト名、トラック名またアルバム名のいずれか少なくとも一つを関連付けて、音楽データを楽曲単位で記録している。
【００１３】
ユーザは、入力操作部１０３を操作して、アーティスト名、トラック名またはアルバム名のいずれかに含まれる文字をキーワードとして入力することにより、ＨＤＤ１３に記録されている音楽データの中から再生したいものをナビゲーション装置１に検索させることができる。キーワードが入力されると、そのキーワードを含むアーティスト名、トラック名またはアルバム名のいずれかを有する楽曲をＨＤＤ１３から検索する。すなわち、入力されたキーワードを含んだアーティスト名、トラック名またはアルバム名のいずれか少なくとも一つに関連付けされた楽曲をＨＤＤ１３から検索する。たとえば、「ＡＢ」の文字がキーワードとして入力されると、アーティスト名、トラック名またはアルバム名のいずれかの一部に「ＡＢ」の文字列を含む楽曲を検索する。こうしてユーザに入力されたキーワードを含む楽曲を検索することにより、ＨＤＤ１３に記録されている数多くの楽曲の中から、ユーザが探したい楽曲を簡単に検索できるようにしている。
【００１４】
以上説明したような楽曲のキーワード検索の様子を図２、３および４の表示画面例を用いて説明する。図２は、検索用のキーワードが入力されたときにモニタ１２に表示される画面例を示している。ユーザの入力操作部１０３の操作により、アルファベットや数字などの各種ボタンが配列された入力ボタン群２１において、「Ｗ」と「Ａ」のボタンがユーザから順番に指定されて「ＷＡ」の文字列がキーワードとして入力されると、キーワード表示欄２２にそのキーワードが表示される。すると、入力されたキーワード「ＷＡ」の文字列をアーティスト名、トラック名またはアルバム名のいずれかに含む楽曲がＨＤＤ１３から検索され、その楽曲数が件数表示欄２３に表示される。この例では、件数表示欄２３に「７３」と表示されていることから、アーティスト名、トラック名またはアルバム名のいずれかに「ＷＡ」の文字列を含んでいる楽曲が全部で７３件検索されたことが分かる。
【００１５】
さらにキーワードの入力を続けて「ＷＡＩ」のキーワードが入力されると、検索結果が絞り込まれて、図３に示すような画面がモニタ１２に表示される。ここでは、件数表示欄２３に「２」と表示されていることから、アーティスト名、トラック名またはアルバム名のいずれかに「ＷＡＩ」の文字列を含んでいる楽曲が２件検索されたことが分かる。この画面において「表示」と表記された表示ボタン２４がユーザによって選択されると、次に図４に示す画面が表示される。
【００１６】
なお、図２や図３の画面において「戻る」と表記されたキャンセルボタン２５を選択することにより、ユーザは必要に応じて入力済みのキーワードを一文字ずつ消去することもできる。また、「かな」と表記された入力モード変換ボタン２６を選択することにより、かな入力用画面として、入力ボタン群２１にひらがなやカタカナなどの各種のかな入力ボタンが配列されている画面に切り替えることもできる。さらに、「ＡＮＤ」と表記された複数キーワード指定ボタン２７を選択することにより、複数のキーワードを入力することもできる。
【００１７】
図４は、キーワード「ＷＡＩ」による検索結果をモニタ１２に表示した画面の一例であり、検索結果として「Ｗａｉｔ＆Ｌｏｏｋ」および「Ｗａｉｔｉｎｇ  ｆｏｒ  ｙｏｕ」のトラック名の楽曲がリスト表示された例を示している。なお、ここではアルファベットの大文字と小文字を区別していないが、区別するようにしてもよい。また、ここではトラック名にキーワード「ＷＡＩ」が含まれている楽曲が検索結果としてリスト表示されているが、アルバム名やアーティスト名にキーワードが含まれている楽曲がＨＤＤ１３において記録されていれば、それらの楽曲についても同様にリスト表示される。
【００１８】
以上説明したようにして、ユーザから入力されたキーワードに基づいて、ＨＤＤ１３に記録された楽曲の中から該当する楽曲が検索され、その検索結果がリスト表示される。こうしてリスト表示された各楽曲は、そのリスト順にしたがって、再生出力部１１２およびオーディオ装置２によってスピーカに再生出力される。
【００１９】
なお、上記のキーワード検索によって検索された各楽曲は、図４の画面にリスト表示される際に、予め定められた並べ替え条件にしたがって、その表示順序が並べ替えられる。このときの並べ替え条件には、様々な内容を用いることができる。たとえば、楽曲の再生時間を並び替え条件として、再生時間が短い楽曲から順にリスト表示されるようにしてもよい。または、楽曲ごとに過去の再生履歴を記録しておくようにすれば、その再生履歴により表される再生回数を並び替え条件として、再生回数が多い（または、少ない）楽曲から順にリスト表示されるようにすることもできる。その他にも、たとえば楽曲の発売または発表の日付や、音楽ジャンルなどの様々な並び替え条件を用いることができる。
【００２０】
あるいは、ナビゲーション部１０の処理内容と組み合わせた並び替え条件を用いてもよい。たとえば、現在地検出部１０２によって検出された現在地に基づいて、現在地に近い地名や地域名をそのトラック名またはアルバム名に含む楽曲の有無を判断し、該当する楽曲があれば、その楽曲から順にリスト表示することとしてもよい。または、現在地検出部１０２によって検出された現在地から車両の走行地点や走行道路を判断し、その履歴を楽曲の再生履歴と対応付けて記録しておく。そして、車両の走行地点や走行道路が過去の履歴と同じである場合は、そのときに再生されていた楽曲から順にリスト表示することとしてもよい。以上説明したように、車両の現在地と各楽曲がそれぞれ有する地域的特徴との地理的関係を並び替え条件とすることもできる。
【００２１】
上記のようにしてキーワード検索された楽曲のリスト表示順序を並び替えると、楽曲の再生順序もそれにしたがって決定されるため、並び替え条件の内容に応じた様々な効果を楽曲の再生時にもたらすことができる。たとえば、再生時間が短い楽曲から順に並べて再生した場合は、一定の時間内でできるだけ多くの楽曲を再生することができる。また、再生回数が多い楽曲から順に並べて再生した場合は、ユーザが普段好んで聞くことの多い楽曲を優先して再生することができ、逆に再生回数が少ない楽曲から順に並べて再生した場合は、ユーザがあまり聞かない意外性のある楽曲を優先して再生することができる。
【００２２】
あるいは、上記で説明したように車両の現在地と各楽曲がそれぞれ有する地域的特徴との地理的関係を並び替え条件とすれば、周囲の景色や雰囲気に合った楽曲を優先して再生することができる。これ以外の並び替え条件とした場合も、それぞれに応じた様々な効果を楽曲再生時にもたらすことができる。
【００２３】
なお、以上説明した並び替え条件のうちどれを用いるかは、ユーザに予め設定させておいてもよいし、キーワード検索の度にユーザに選択させてもよい。さらに、複数の並び替え条件を組み合わせて使用してもよい。
【００２４】
以上説明したような処理を実行するときのフローチャートを図５に示す。このフローチャートは、制御部１１１において実行されるものである。ステップＳ１０では、キーワードの入力を行う。これは、前述したようにユーザがモニタ１２に画面表示される図２の入力ボタン群２１によっていずれかの文字を入力することにより行われる。ユーザによってキーワードが入力されると、次のステップＳ２０へ進む。
【００２５】
ステップＳ２０では、ステップＳ１０において入力されたキーワードに基づいてＨＤＤ１３から該当する楽曲を検索する。このとき、アーティスト名、トラック名またはアルバム名のいずれかにキーワードが含まれている楽曲を検索する。次のステップＳ３０では、ステップＳ２０のキーワード検索の結果をモニタ１２に表示するか否かを判定する。この判定は、表示ボタン２４と入力ボタン群２１のどちらがユーザによって押されたかを検出することによって行われる。表示ボタン２４が押された場合は、検索結果を表示するともの判定してステップＳ４０へ進む。入力ボタン群２１のいずれかのボタンが押された場合は、検索結果を表示しないものと判定してステップＳ１０へ戻り、そのボタンに応じた文字を続けてキーワードに入力する。
【００２６】
ステップＳ４０では、ステップＳ２０のキーワード検索によって検索された各楽曲を、前述したような様々な並び替え条件にしたがって並び替える。ステップＳ５０では、ステップＳ４０で並び替えられた楽曲の検索結果をモニタ１２の画面にリスト表示する。これにより、図４のような画面が表示される。
【００２７】
ステップＳ６０では、ステップＳ５０でリスト表示された並び順にしたがって、楽曲の音楽データを再生出力部１１２へ出力する。これにより、再生出力部１１２からオーディオ装置２へ音声信号が出力され、その楽曲がスピーカから再生出力される。ステップＳ６０を終了したら、図５のフローチャートを終了する。以上説明したようにして、楽曲のキーワード検索を行い、その検索結果を並び替えて、各楽曲を順番に再生出力する。
【００２８】
以上説明した実施の形態によれば、次の作用効果が得られる。
（１）ＨＤＤ１３において、各楽曲に特定のアーティスト名、トラック名またはアルバム名のいずれか少なくとも一つを関連付けて、アルバムやトラックなどの楽曲単位で音楽データを記録する。そして、キーワードを入力し（ステップＳ１０）、そのキーワードに基づいてＨＤＤ１３から複数の楽曲を検索する（ステップＳ２０）。検索された複数の楽曲を前述のような様々な並び替え条件にしたがって並び替え（ステップＳ４０）、その並び順に再生出力する（ステップＳ６０）こととした。このようにしたので、ＨＤＤに記録された大量の楽曲の中から、ユーザの好みに合わせて適切に楽曲を選択して再生することができる。
【００２９】
（２）ステップＳ４０で複数の楽曲を並び替えるときに、楽曲の再生時間を並び替え条件として、再生時間が短い楽曲から順に再生することとすれば、一定の時間内でできるだけ多くの楽曲を再生することができる。また、過去の再生履歴による再生回数を並び替え条件として、再生回数が多い楽曲から順に再生することとすれば、ユーザが好んで聞くことの多い楽曲を優先して再生することができ、逆に再生回数が少ない楽曲から順に再生することとすれば、ユーザがあまり聞かない意外性のある楽曲を優先して再生することができる。
【００３０】
（３）あるいは、ステップＳ４０で複数の楽曲を並び替えるときに、車両の現在地と各楽曲がそれぞれ有する地域的特徴との地理的関係を並び替え条件とすれば、周囲の景色や雰囲気に合った楽曲を優先して再生することができる。
【００３１】
なお、以上説明した実施の形態では、音楽ＣＤより音楽データを読み取ってＨＤＤへ書き込む例について説明したが、一般の市販音楽ＣＤに限らず、音楽データが記録されたＣＤ−Ｒ、ＭＤ、ＤＶＤ、あるいは各種メモリカード類など、様々な記録メディアより音楽データを読み取ることができる。さらに、ラジオやテレビからのアナログ音声信号を取り込み、アナログ・デジタル変換を行ってデータ化した後にＨＤＤへ書き込むようにしてもよい。
【００３２】
また、上記の実施の形態ではナビゲーション装置と組み合わせた例を説明したが、ナビゲーション機能を有さない各種の車載情報端末、たとえばカーオーディオ装置などにおいても、本発明は適用可能である。
【００３３】
以上説明した各実施の形態や各種の変形例はあくまで一例であり、発明の特徴が損なわれない限り、本発明はこれらの内容に限定されない。
【００３４】
上記の実施の形態では、記録手段をＨＤＤ１３によって実現し、その他の各手段を制御回路１１の処理によって実現している。具体的には、入力手段をステップＳ１０、検索手段をステップＳ２０、並び替え手段をステップＳ４０、再生出力手段をステップＳ６０によってそれぞれ実現している。なお、以上の説明はあくまで一例であり、発明を解釈する際、上記の実施形態の記載事項と特許請求の範囲の記載事項の対応関係には何ら限定も拘束もされない。
【図面の簡単な説明】
【００３５】
【図１】本発明の一実施形態による音楽データ記録再生機能付き車載ナビゲーション装置の構成を示す図である。
【図２】キーワードが入力された場合の表示画面例である。
【図３】キーワードが続けて入力された場合の表示画面例である。
【図４】キーワード入力による検索結果の表示画面例である。
【図５】キーワードを入力してＨＤＤから楽曲を検索し、再生出力する際に実行されるフローチャートである。
【符号の説明】
【００３６】
１  ナビゲーション装置
２  オーディオ装置
１０  ナビゲーション部
１１  音楽データ記録再生部
１２  モニタ
１３  ＨＤＤ
１４  ＣＤ／ＤＶＤドライブ
１０１  演算処理部
１０２  現在地検出部
１０３  入力操作部
１１１  制御部
１１２  再生出力部
【図１】
2006331598.tif 000003
【図２】
2006331598.tif 000004
【図３】
2006331598.tif 000005
【図４】
2006331598.tif 000006
【図５】
2006331598.tif 000007